(57)【要約】      （修正有）【課題】電力の消費を抑えつつ，ゼロ磁場空間の容積を拡大するゼロ磁場発生装置を提供する。【解決手段】ゼロ磁場発生装置は，２Ｎ個の電極板１１（Ｎは２以上の整数）を含む電極群１０と，電極板１１のそれぞれに電圧を印加する電気回路とを備える。電極板１１は，平面視において多角形の辺に相当する位置に，互いに非接触で配置されている。電気回路は，隣接する辺に位置する電極板１１の極性が異なるように，電極板１１のそれぞれに電圧を印加する。これにより，各電極版１１により囲われた平面視多角形の空間内にゼロ磁場が発生する。【選択図】図２
0003209910.tif 000002
【実用新案登録請求の範囲】
【請求項１】
２Ｎ個の電極板（１１）（Ｎは２以上の整数）を含む電極群（１０）と，
前記電極板（１１）のそれぞれに電圧を印加する電気回路（２０）と，を備え，
前記電極板（１１）は，平面視において多角形の辺に相当する位置に，互いに非接触で配置されており，
前記電気回路（２０）は，隣接する辺に位置する電極板（１１）の極性が異なるように，前記電極板（１１）のそれぞれに電圧を印加する
ゼロ磁場発生装置。
【請求項２】
前記電極板（１１）は，少なくとも表面に金材質を含むものと銀材質を含むものとが，多角形の辺上において交互に配置されている
請求項１に記載のゼロ磁場発生装置。
【請求項３】
前記電気回路（２０）は，対向する電極板（１１）の極性が同一となるように，前記電極板（１１）のそれぞれに電圧を印加する
請求項２に記載のゼロ磁場発生装置。
【請求項４】
前記電気回路（２０）は，前記電極板（１１）に印加する電圧を変換するための電圧変換部（２５，２６）を有する
請求項１から請求項３のいずれかに記載のゼロ磁場発生装置。
【請求項５】
前記電気回路（２０）は，前記電極板（１１）に印加する交流電圧と直流電圧とを切り替える交流／直流変換部（２７，２８）を有する
請求項１から請求項４のいずれかに記載のゼロ磁場発生装置。
【考案の詳細な説明】
【技術分野】
【０００１】
本考案は，ゼロ磁場発生装置に関する。
【背景技術】
【０００２】
従来から，磁力を利用して例えば流体を活性化する磁気活性器が知られている。このような磁気活性装置は，ゼロ磁場を発生させることにより，嗜好品の味をマイルドにしたり，あるいは外部からの電磁波の人体への影響を和らげたりすることができるとされている。
【０００３】
特許文献１には，カード状のゼロ磁場発生装置が開示されている。このゼロ磁場発生装置は，プリント配線基板における表裏面の対応する各位置に，巻回方向が逆となるように配置されて，電源投入により打ち消し合うような磁場を発生する一対のコイル状導電回路と，このプリント配線基板に設けられて，各コイル状導電回路の中心部の一端を接続するスルーホールと，プリント配線基板に設けられて，各コイル状導電回路の他端に電源を接続するための一対の電源端子とを備えている。
【先行技術文献】
【特許文献】
【０００４】
【特許文献１】特開２００３−６９１８４号公報
【考案の概要】
【考案が解決しようとする課題】
【０００５】
ところで，特許文献１のようなコイル状導電回路を備えたカード状のゼロ磁場装置では，ゼロ磁場が発生する空間が小さいという問題がある。また，このゼロ磁場発生装置においてゼロ磁場空間を拡大するためには，各コイル状導電回路に流れる電流を大きくする必要があり，電力の消費量が大きくなるという問題がある。
【０００６】
そこで，本考案は，電力の消費を抑えつつ，ゼロ磁場空間の容積を拡大することを目的とする。
【課題を解決するための手段】
【０００７】
本考案の考案者は，上記の従来技術の問題を解決する手段について鋭意検討した結果，複数の電極板を非接触状態で立設して空間を画定し，隣接する電極板に印加する電圧を異極性とすることで，ほとんど電力を消費することなく，各電極板によって囲われた空間内にゼロ磁場を発生させることができるという知見を得た。そして，本考案者は，上記知見に基づけば，従来技術の課題を解決できることに想到し，本考案を完成させた。
【０００８】
本考案は，ゼロ磁場発生装置に関する。本考案に係るゼロ磁場発生装置は，電極群１０と電気回路２０とを備える。電極群１０は，２Ｎ個の電極板１１（Ｎは２以上の整数）を含む。すなわち，電極板１１の数は，４以上の偶数である。電気回路２０は，電極板１１のそれぞれに電圧を印加する。ここで，電極板１１は，平面視において多角形の辺に相当する位置に，互いに非接触で配置されている。そして，電気回路２０は，隣接する辺に位置する電極板１１の極性（正極と負極）が異なるように，電極板１１のそれぞれに電圧を印加する。このように，電極板１１を非接触で配置することで，電力を消費しないか，あるいは電力を殆ど消費することなく，電極板１１によって囲われた平面視多角形の空間内にゼロ磁場を発生させることができる。また，ゼロ磁場空間の容積も拡大する。
【０００９】
本考案に係るゼロ磁場発生装置において，電極板１１は，少なくとも表面に金材質を含むものと銀材質を含むものとが，多角形の辺上において交互に配置されていることが好ましい。なお，各電極板１１に直流電圧を印加する場合には，正極となる電極板１１を金材質のものとし，負極となる電極板１１を銀材質のものとすることが好ましい。これにより，電極板１１によって囲われた平面視多角形の空間内に，効率良くゼロ磁場を発生させることができる。
【００１０】
本考案に係るゼロ磁場発生装置において，電気回路２０は，対向する電極板１１の極性が同一となるように，電極板１１のそれぞれに電圧を印加することが好ましい。この場合に，電極板１１は，４個又は８個であることが特に好ましい。これにより，効率的にゼロ磁場を生成することができる。また，電極板１１で囲われた空間内には，多角形の対角線に沿ってゼロ磁場が発生する。従って，対角線の数が多い空間とすることで，ゼロ磁場が発生する領域の面積を拡大することができる。
【００１１】
本考案に係るゼロ磁場発生装置において，電気回路２０は，電極板１１に印加する電圧を変換するための電圧変換部２５，２６を有することが好ましい。これにより，処理対象の物品の性質に応じて，適切な電圧に変換することが可能となる。
【００１２】
本考案に係るゼロ磁場発生装置において，電気回路２０は，電極板１１に印加する交流電圧と直流電圧とを切り替える交流／直流変換部２７，２８を有することが好ましい。これにより，処理対象の物品の性質に応じて，交流と直流を選択することが可能となる。例えば，最初は交流電圧によるゼロ磁場によって一定時間対象物を処理して，その後直流電圧に切り替えて一定時間対象物を処理することが可能となる。
【考案の効果】
【００１３】
本考案によれば，電力の消費を抑えつつ，ゼロ磁場空間の容積を拡大することができる。
【図面の簡単な説明】
【００１４】
【図１】図１は，本考案に係るゼロ磁場発生装置の回路構成例を示している。
【図２】図２は，４個の電極板を備える電極群の構成と，それによるゼロ磁場発生箇所を模式的に示している。
【図３】図３は，６個の電極板を備える電極群の構成と，それによるゼロ磁場発生箇所を模式的に示している。
【図４】図４は，８個の電極板を備える電極群の構成と，それによるゼロ磁場発生箇所を模式的に示している。
【考案を実施するための形態】
【００１５】
以下，図面を用いて本考案を実施するための形態について説明する。本考案は，以下に説明する形態に限定されるものではなく，以下の形態から当業者が自明な範囲で適宜変更したものも含む。
【００１６】
図１は，ゼロ磁場発生装置１００の回路構成例を示している。図１に示されるように，ゼロ磁場発生装置１００は，複数の電極板１１からなる電極群１０と，この電極群１０に電圧を印加する電気回路２０を備える。ゼロ磁場発生装置１００は，２Ｎ個（Ｎは２以上の整数）の電極板１１によって処理エリアの周囲を取り囲み，互いに隣り合う電極板１１を異極性とすることで，処理エリア内にゼロ磁場を発生させる。
【００１７】
まず，図１を参照して，電気回路２０の具体的構成について説明する。電気回路２０の入力端子２１は，例えば家庭用電源に接続されて電気が入力される。家庭用電源からは約１００Ｖで５０Ｈｚ又は６０Ｈｚの交流電流を取得できる。また，入力端子２１の後段には電源スイッチ２２が設けられ，回路を開閉する。また，回路内には，安全遮断器２３が設けられている。本構成例において，安全遮断器２３は，電極群１０を収容した電極箱４０の蓋の開閉によってＯＮ／ＯＦＦとなる蓋安全スイッチ２３ａと，この蓋安全スイッチ２３ａに接続されたインターロックリレー２３ｂを備える。これにより，蓋が閉じているときに電気回路が繋がり，蓋が開いたときには電気回路が遮断されるように構成されている。
【００１８】
電気回路２０は，電極群１０に印加する電圧の周波数を変換するインバーター２４を備える。インバーター２４は，例えば家庭用電源から取得した５０Ｈｚの電気を１２０Ｈｚに変換する。このようにして，ゼロ磁場の発生に好適な周波数に変換する。なお，インバーター２４は，これに接続された周波数設定用ボリウム２４ａの設定に応じて変換後の周波数を変化させることができる。
【００１９】
電気回路２０は，電極群１０に印加する電圧を変換する電圧変換トランス２５を備える。電気回路２０の電線は，インバーター２４の出力端側において，電圧変換トランス２５に入力されるものと，この電圧変換トランス２５を迂回するものとに分岐する。電圧変換トランス２５は，例えば家庭用電源から取得した１００Ｖの電圧を２００Ｖに変換する。電圧変換トランス２５の出力端に接続された電線と電圧変換トランス２５を迂回した電線は，電圧切替器２６に接続されており，択一的に開閉される。これにより，電極群１０に印加する電圧を，例えば１００Ｖと２００Ｖとで切り替えることができる。
【００２０】
電気回路２０は，電極群１０に印加する電圧を交流から直流に変換（又は直流から交流に変換）する交流／直流変換器２７を備える。図３に示した例では，電圧切替器２６の後段に交流／直流変換器２７が設けられている。電気回路２０の電線は，交流／直流変換器２７に入力されるものと，この交流／直流変換器２７を迂回するものとに分岐する。この例では，交流／直流変換器２７は，交流電圧を直流電圧に変換するように構成されている。交流／直流変換器２７の出力端に接続された電線と交流／直流変換器２７を迂回した電線は，交流／直流切替器２８に接続されており，択一的に開閉される。これにより，電極群１０に印加する電圧を，直流と交流とで切り替えることができる。また，交流／直流切替器２８の出力端側には，波形観測用のオシロスコープ３０を設けてもよい。オシロスコープ３０に表示された波形を観測することで，電極群１０に印加された電圧が交流であるか直流であるかを把握できる。また，オシロスコープ３０は，電極群１０に印加される電圧やその周波数を表示可能なものであってもよい。
【００２１】
交流／直流変換器２７の出力端側には，極性変換器２９が設けられている。極性変換器２９は，電極群１０を構成する各電極板１１の極性を制御する。ここでは，電極群１０は４以上の偶数個の電極板１１を備える。極性変換器２９は，半数の電極板１１の極性を正極とし，残りの半数の電極板１１の極性を負極とするように，各電極板１１の極性を制御する。
【００２２】
図１に示されるように，電極群１０は電極箱４０の内部に収容される。電極箱４０の上部には蓋が設けられており，前述したとおり，蓋が開くと安全遮断器２３が電流を遮断するように構成されている。
【００２３】
続いて，図２から図４を参照して，電極群１０を構成する電極板１１の構成について具体的に説明する。図２（ａ）は，４個の電極板１１によって電極群１０を構成した例を示している。図２（ａ）に示されるように，平面視における四角形の各辺に相当する位置に，電極板１１をそれぞれ非接触状態で配置する。これにより，４つの電極板１１により平面四角形（四角柱状）の空間が画定される。各電極版１１には，隣接する辺に位置する電極板１１の極性（正極と負極）が異なるように，電気回路２０によって電圧が印加されている。また，電極板１１の数が４個の構成では，対向する電極板１１は極性が同一となる。なお，隣接する各電極板１１は，非接触状態で立設されているため，両者の間に電流は発生しない。
【００２４】
図２（ｂ）に示されるように，上記のように４つの電極板１１のそれぞれに電圧を印加することで，平面四角形の対角線に沿ってゼロ磁場が発生する。この例では，４つの電極板１１によって囲われた空間内には，２本の対角線に沿ってゼロ磁場が発生することとなる。
【００２５】
図３（ａ）は，６個の電極板１１によって電極群１０を構成した例を示している。図３（ａ）に示されるように，平面視における六角形の各辺に相当する位置に，電極板１１をそれぞれ非接触状態で配置する。これにより，６つの電極板１１により平面六角形（六角柱状）の空間が画定される。各電極版１１には，隣接する辺に位置する電極板１１の極性（正極と負極）が異なるように，電気回路２０によって電圧が印加されている。隣接する各電極板１１は，非接触状態で立設されているため，両者の間に電流は発生しない。
【００２６】
図３（ｂ）に示されるように，上記のように６つの電極板１１のそれぞれに電圧を印加することで，平面六角形の対角線に沿ってゼロ磁場が発生する。この例では，６つの電極板１１によって囲われた空間内には，３本の対角線に沿ってゼロ磁場が発生することとなる。
【００２７】
図４（ａ）は，８個の電極板１１によって電極群１０を構成した例を示している。図４（ａ）に示されるように，平面視における八角形の各辺に相当する位置に，電極板１１をそれぞれ非接触状態で配置する。これにより，８つの電極板１１により平面八角形（八角柱状）の空間が画定される。各電極版１１には，隣接する辺に位置する電極板１１の極性（正極と負極）が異なるように，電気回路２０によって電圧が印加されている。また，電極板１１の数が８個の構成では，対向する電極板１１は極性が同一となる。隣接する各電極板１１は，非接触状態で立設されているため，両者の間に電流は発生しない。
【００２８】
図４（ｂ）に示されるように，上記のように８つの電極板１１のそれぞれに電圧を印加することで，平面八角形の対角線に沿ってゼロ磁場が発生する。この例では，８つの電極板１１によって囲われた空間内には，４本の対角線に沿ってゼロ磁場が発生することとなる。図４の例では，前述した図２及び図３に示した例に比べて，ゼロ磁場が発生する面積をさらに拡大することができる。
【００２９】
各電極板１１は，異電極をそれぞれ金材質及び銀材質によって構成することが特に好ましい。すなわち，電極板１１は，金材質を含むものと銀材質を含むものとが，多角形の辺上において交互に配置されている。電極板１１は，少なくともその表面が金材質又は金材質によって覆われていればよい。例えば，電極板１１の表面を金箔や銀箔によって被覆したり，電極板１１の表面に金メッキ加工や銀メッキ加工を施すこととしてもよい。
【００３０】
以上，本願明細書では，本考案の内容を表現するために，図面を参照しながら本考案の実施形態の説明を行った。ただし，本考案は，上記実施形態に限定されるものではなく，本願明細書に記載された事項に基づいて当業者が自明な変更形態や改良形態を包含するものである。
【符号の説明】
【００３１】
１０…電極群                    １１…電極板
２０…電気回路                  ２１…入力端子
２２…電源スイッチ              ２３…安全遮断器
２３ａ…蓋安全スイッチ          ２３ｂ…インターロックリレー
２４…周波数変換インバーター    ２４ａ…周波数設定用ボリウム
２５…電圧変換トランス          ２６…電圧切替器
２７…交流／直流変換器          ２８…交流／直流切替器
２９…極性変換器                ３０…波形観測オシロスコープ
４０…電極箱                    １００…ゼロ磁場発生装置
【図１】
0003209910.tif 000003
【図２】
0003209910.tif 000004
【図３】
0003209910.tif 000005
【図４】
0003209910.tif 000006